(57)【要約】      （修正有）【課題】内部空間活用面積を最大化することができるテントを提供する。【解決手段】テントは、２個のピークＰ１、Ｐ２を持つ内部空間を形成するシート１００と、内部空間で上側に向かって設けられるメインポール部材２１０、メインポール部材２１０から分岐されてシートを支持することで、２個のピークを形成する一組の分岐ポール部材２２０、２３０を含む支持ポール骨組２００と、を含む。【選択図】図４
0003217504.tif 000002
【実用新案登録請求の範囲】
【請求項１】
２個のピーク（Ｐ１、Ｐ２）を有する内部空間（Ｓ）を形成するシート（１００）と、
前記内部空間（Ｓ）で上側に向かって設けられるメインポール部材（２１０）と、前記メインポール部材（２１０）から分岐されて前記シート（１００）を支持することで、前記２個のピーク（Ｐ１、Ｐ２）を形成する一組の分岐ポール部材（２２０、２３０）を含む支持ポール骨組（２００）、
を含むことを特徴とするテント。
【請求項２】
前記シート（１００）は、下端の平面形状が多角形状を有し、多角形の頂点に結合され、外部に設けられた固定構造物と結合されることで、テントの外形を形状する固定結合部（３００）を含むことを特徴とする請求項１に記載のテント。
【請求項３】
前記ピーク（Ｐ１、Ｐ２）及び前記固定結合部（３００）の間で、一端が前記シート（１００）と結合され、他端が前記固定結合部（３００）と結合され、前記シート（１００）、前記固定結合部（３００）と共に三角形をなす複数の連結部（４００）を含むことを特徴とする請求項２に記載のテント。
【請求項４】
前記連結部（４００）が、前記シート（１００）に連結された部分及び前記固定結合部３００が結合された部分の間に、地面と垂直をなすフレーム部材（４１０）がさらに設けられることを特徴とする請求項３に記載のテント。
【請求項５】
前記シート（１００）は、前記テントの内部空間（Ｓ）への通風のための一つ以上の通風口（１１０）が前記ピーク（Ｐ１、Ｐ２）を端にして形成されたことを特徴とする請求項１に記載のテント。
【請求項６】
前記通風口（１１０）を覆蓋する覆蓋部（１２０）を含むことを特徴とする請求項５に記載のテント。
【請求項７】
前記支持ポール骨組（２００）は、
前記メインポール部材（２１０）と前記一組の分岐ポール部材（２２０、２３０）とが結合構造を有するように、前記メインポール部材（２１０）と前記一組の分岐ポール部材（２２０、２３０）とを連結するコネクター（２４０）を含むことを特徴とする請求項１に記載のテント。
【考案の詳細な説明】
【技術分野】
【０００１】
本考案は、テントに関し、より詳しくは、内部空間活用面積を最大化することができるテントに関するものである。
【背景技術】
【０００２】
ティピータイプのテントは、南部カナダ、北米平原部、北西部を移動しながら、狩猟する文化を有した部族の野営地であるティピーを真似て製作したテントであり、比較的簡単な構造であることから必要な資材が少なく、設置が容易なテントである。
【０００３】
ティピータイプのテントは、その大きさが小さいものから、複数の世帯が居住できる巨大なサイズにも製作可能であり、中央に大きな棒を垂直に立て、これを支柱として天幕を地面まで覆わせた形態で設けられる。
これにより、外部から吹く強風によく耐え、内部で火を起こすことができる点等で保温性に優れた強みを有している。
【０００４】
しかし、ティピータイプのテントは、中央にポールが立てられるため、上部に行くほど空間が急激に狭くなり、テント内部の実際の活用空間が小さいなどの問題があった。
【０００５】
そこで、特許文献１には、このような問題点を解決するために、テント上端部にフレームが加えられる構成を開示しているが、このような構造は、上端部に新しいフレームが加えられることで、ティピータイプのテントの本来の長所である簡単な構造と設置の容易性を後退させる問題があった。
【０００６】
また、前記のようなフレームを携帯しなければならないところ、携帯性が重要なテントにおいて、重量及び体積が増加し、テントのコストもまた、増大ししまう問題があった。
【先行技術文献】
【特許文献】
【０００７】
【特許文献１】韓国公開実用新案第２０１３−０００２２７３号
【考案の概要】
【考案が解決しようとする課題】
【０００８】
本考案の目的は、前述した問題を解決するために、活用可能な内部空間を最大化することができるテントを提供することにある。
【課題を解決するための手段】
【０００９】
本考案は、前述のような本考案の目的を達成するために案出されたものであって、本考案は、２個のピーク（Ｐ１、Ｐ２）を有する内部空間（Ｓ）を形成するシート（１００）と、前記内部空間（Ｓ）で上側に向かって設けられるメインポール部材（２１０）、前記メインポール部材（２１０）から分岐されて前記シート（１００）を支持することで、前記２個のピーク（Ｐ１、Ｐ２）を形成する一組の分岐ポール部材（２２０、２３０）を含む支持ポール骨組（２００）と、を含むことを特徴とするテントを開示する。
【００１０】
前記シート（１００）は、下端の平面形状が多角形状を有し、多角形の頂点に結合され、外部に設けられた固定構造物と結合されることで、テントの外形を形状する固定結合部（３００）を含む。
【００１１】
前記テントは、前記ピーク（Ｐ１、Ｐ２）及び前記固定結合部（３００）の間で、一端が前記シート（１００）と結合され、他端が前記固定結合部（３００）と結合され、前記シート（１００）、前記固定結合部（３００）と共に三角形をなす複数の連結部（４００）を含む。
【００１２】
前記連結部（４００）が、前記シート（１００）に連結された部分及び前記固定結合部３００が結合された部分の間に、地面と垂直をなすフレーム部材（４１０）がさらに設けられる。
前記シート（１００）は、前記テントの内部空間（Ｓ）への通風のための一つ以上の通風口（１１０）が前記ピーク（Ｐ１、Ｐ２）を端にして形成される。
前記通風口（１１０）を覆蓋する覆蓋部（１２０）を含む。
【００１３】
前記支持ポール骨組（２００）は、前記メインポール部材（２１０）と前記一組の分岐ポール部材（２２０、２３０）とが結合構造を有するように、前記メインポール部材（２１０）と前記一組の分岐ポール部材（２２０、２３０）とを連結するコネクター（２４０）を含む。
【考案の効果】
【００１４】
本考案に係るテントは、テントを構成するシートにより２個のピークを有する内部空間を形成することによって、単一ピークを有する従来のテントに比べ、同一床面積対比さらに広い内部空間を形成することで、空間活用効果を最大化することができる利点がある。
【００１５】
特に、本考案に係るテントは、内部空間に対する２個のピークを形成する際において、一つのメインポール部材の上端から分岐された一組の分岐ポール部材を形成することで、テント内部の床側の下端部は、従来のティピータイプのテントと同様に空間を活用することができ、テントの上端に行くほど空間が急激に狭くなる問題を克服し、空間を活用することができる利点がある。
【００１６】
一方、本考案に係るテントは、従来の活用空間を増大するために、フレームなどの追加により、コストが増加し、携帯性が劣る短所がなく、メインポール部材及び一組の分岐ポール部材の簡単な構成によって具現されることで、携帯が容易で、追加的なコストがなく、その設置が非常に簡単な利点がある。
【００１７】
また、本考案に係るテントは、Ｙ字状の支持ポール骨組を利用することで、テントのシートを２個のピークを形成して支持し、これにより、２個のピーク間に一定のテンションを加えることで、テント設置時、安定性を向上させることができる利点がある。
【図面の簡単な説明】
【００１８】
【図１】本考案に係るテントの斜視図である。
【図２】図１のテントの正面を示す正面図である。
【図３】図１のテントの側面を示す側面図である。
【図４】図１のテントの支持ポール骨組の内部設置の様子示す側面透視図である。
【図５】図１のテントの形状を示す平面図である。
【図６】図１のテントの一実施例であり、出入部と日除け部を示す正面図である。
【図７】図１のテントにおける通風口が開放され、内部に通風が可能な様子を示す側面図である。
【図８】図１のテントにおける支持ポール骨組の多様な実施例を示す図である。
【図９】図１のテントにおける内部で支持ポール骨組がシートを支持する様子を示す拡大図である。
【図１０】図１のテントにおける固定結合部の様子を示す拡大図である。
【考案を実施するための形態】
【００１９】
以下、本考案に係るテントについて、添付された図面を参照して詳細に説明する。
【００２０】
本考案に係るテントは、図１〜図７に示されるように、２個のピークＰ１、Ｐ２を有する内部空間Ｓを形成するシート１００と、内部空間Ｓで上側に向かって設けられるメインポール部材２１０、メインポール部材２１０から分岐され、シート１００を支持することにで、２個のピークＰ１、Ｐ２を形成する一組の分岐ポール部材２２０、２３０を含む支持ポール骨組２００と、を含むことを特徴とする。
【００２１】
前記シート１００は、２個のピークＰ１、Ｐ２を有する内部空間Ｓを形成する構成であり、支持ポール骨組２００により支持され、使用者が生活しうる内部空間Ｓを形成し、テントの全体形状及び構造によって多様な構成が可能である。
【００２２】
前記シート１００は、テントの天井、壁をなす構成であり、支持ポール骨組２００により支持されることで、テントの全体的な形状をなし、設置が完成されたテントの天井及び壁を形成することができる。
【００２３】
さらに、前記シート１００は、テントの床がさらに形成され得、この場合、シート１００は、支持ポール骨組２００が床と天井と間に設けられ、支持されることで、テントの形状をなし、内部空間Ｓを形成することができる。
【００２４】
具体的に、前記シート１００は、ポリエステル素材、綿素材など多様な材質で形成され、テントの使用環境などに応じて防水材質をさらに含むことができる。
【００２５】
前記シート１００は、テントの内部空間Ｓへの通風のための一つ以上の通風口１１０がピークＰ１、Ｐ２を端にして、形成されることができる。
【００２６】
前記通風口１１０は、本考案に係るテントがティピータイプのテントの変形であり、内部空間Ｓに原則的に火を起こすか、その他の温熱機器を使用することができるので、煙を外に排出するか、空気の循環が必要な内部空間Ｓの喚起のための多様な構成が可能である。
【００２７】
前記通風口１１０は、テントの内部空間Ｓへの通風のために、シート１００に形成される開口であり、好ましくは、円滑な通風のために対向する位置に一組の通風口１１０が形成され得る。
【００２８】
具体的に、前記通風口１１０は、ピークＰ１、Ｐ２を端にして形成されてもよく、ピークＰ１、Ｐ２に隣接して形成されてもよい。
【００２９】
即ち、ピークＰ１、Ｐ２に隣接してテントの正面及び背面に通風口１１０を形成することで、一組の通風口１１０をテントの長手方向に対向するようにし、風が内部空間Ｓでよく通るようにすることができる。
【００３０】
一方、前記通風口１１０は、通風口１１０への虫などの進入を防ぐために、メッシュ網（未図示）を含み得る。
前記メッシュ網は、虫などの進入を防ぐために、使用される防虫網材質と間隔で設けられてもよく、シート１００に結合して設けられて形成されてもよい。
【００３１】
前記メッシュ網は、キャンピングなどに主に利用されるテントの特性上、内部の灯りにより虫の誘引が活発になるところ、虫の進入を遮断する構成であってもよく、好ましくは、テント内部の別途電源装置又は電池装置を利用して電気を通して侵入する虫を遮断することができる。
【００３２】
前記通風口１１０は、通風口１１０の形成により、通風口１１０下側のシート１００が重力によって垂れることで、テントの全体的な形状と均衡がずれることを防止するために、一端が、後記する支持部１７０に結合され、他端が通風口１１０の縁を補強する縁補強部１７１に結合される一つ以上の連結部材１１１、１１２を含む。
【００３３】
前記連結部材１１１、１１２は、通風口１１０を横切ってシート１００に結合されることで、テントの全体的な形状を維持するための構成であり、多様な構成が可能である。
【００３４】
一方、前記通風口１１０を介して異質物、寒気が内部空間Ｓに流入されることがあり、これを防止するために本考案に係るテントは、通風口１１０を覆蓋する覆蓋部１２０を含む。
【００３５】
前記覆蓋部１２０は、通風口１１０を覆蓋するための構成であり、多様な構成が可能である。
【００３６】
具体的に、前記覆蓋部１２０は、テントの天井外面に設けられ、テントの正面及び背面に形成される通風口１１０を覆蓋することができる。
【００３７】
より具体的に、前記通風口１１０が２個のピークＰ１、Ｐ２を頂点にして、一つずつ形成されることを考慮し、覆蓋部１２０は、２個のピークＰ１、Ｐ２を全部覆うと同時に、２個のピークＰ１、Ｐ２を頂点にして下側に延び、多角形状などで形成された通風口１１０を全部覆蓋するように形成され得る。
【００３８】
即ち、前記覆蓋部１２０は、２個のピークＰ１、Ｐ２を形成するシート１００の天井から下側に延びたシート１００の一部を覆蓋するように設けられ得る。
【００３９】
前記覆蓋部１２０は、覆蓋部１２０をシート１００に固定するための一つ以上の固定紐１２１と固定紐１２１の緊張を通じて覆蓋部１２０の離脱を防止できるように、固定紐１２１を締結するためにシート１００に設けられる一つ以上の締結部１２２を含み得る。
【００４０】
前記固定紐１２１は、覆蓋部１２０をシート１００に固定するために設けられる構成であり、多様な構成が可能である。例えば、一端が覆蓋部１２０下端に連結され、他端がシート１００に設けられる締結部１２２に締結され、一組のピークＰ１、Ｐ２を連結する線を基準にして対称に設けられ、覆蓋部１２０の離脱を防止することができる。
【００４１】
また、前記固定紐１２１は、容易な通風口１１０の開放維持のために、一端が通風口１１０側の覆蓋部１２０の内面に結合されることで、通風口１１０側の覆蓋部１２０が捲られた状態を保持できるように設けられ得る。
【００４２】
前記固定紐１２１は、両端が締結部１２２及び覆蓋部１２０に設けられる締結部１２２に簡単に固定して設けられるように、締結部１２２に対応される締結部材（未図示）が結合される構成であってもよい。
【００４３】
前記締結部１２２は、固定紐１２１が設けられるように、シート１００及び覆蓋部１２０に結合されて設けられる構成であり、固定紐１２１が適当な長さと一定の張力を有して設けられるように、離隔されて設けられ得る。
【００４４】
前記締結部材は、固定紐１２１の両端に結合され、固定紐１２１と締結部１２２の結合が容易なように締結部１２２に対応される形態で構成され得る。
【００４５】
例えば、前記締結部材は、円形の締結部１２２に結合されるリング状の部材であってもよく、使用者の加圧によって締結のための隙間を広げ、締結部１２２に締結することができる。
【００４６】
一方、前記覆蓋部１２０は、テントの天井外面に設けられるところ、通風口１１０側の覆蓋部１２０を捲り上げて開放させる高さが高いことから、通風口１１０を開放させることが困難な問題がある。
【００４７】
このような問題を解決するために、覆蓋部１２０内面に設けられた締結部１２２に締結される固定紐１２１を利用して、覆蓋部１２０の一部を捲り、通風口１１０を開放することができ、具体的に正面側の覆蓋部１２０内面に設けられた固定紐１２１をテントの正面から背面側に引っ張り、通風口１１０を開放することができ、背面に引っ張られた固定紐１２１をテント背面のシート１００に設けられた締結部１２２に締結し、固定することで、覆蓋部１２０が捲られた状態を保持することができる。
【００４８】
これにより、通風口１１０を開放することができ、背面に形成された通風口１１０の開放のために、前述内容とは逆に、固定紐１２１を引っ張って固定することで、通風口１１０の開放を保持することができる。
【００４９】
前記シート１００は、テントが下端の平面形状が多角形状、例えば、６角形状を維持できるように、多角形の頂点に該当する位置とピークＰ１、Ｐ２を連結し、テントの角が形成されるようにする連結紐１３０及び連結紐１３０が、シート１００と結合されるように、シート１００に結合され設けられる複数の連結紐締結部１３１を含むことができる。
【００５０】
例えば、前記複数の連結紐締結部１３１は、ピークＰ１、Ｐ２とテント下端の平面形状である多角形の頂点を連結する仮想の線に一定の間隔を置いて設けられ、各連結紐締結部１３１に連結紐１３０を締結して設置することができる。
この場合、前記シート１００は、連結紐１３０により引っ張られるところ、全体的なテントの形状で角を形成することができる。
【００５１】
さらに、前記連結紐１３０は、テントの下端でさらに延び、後記する固定結合部３００と結合締結されることで、多面体のテントの全体形状を形成し、テントの位置を安定的に固定することができる。
【００５２】
前記シート１００は、多面体のテントの一面に使用者が内部空間Ｓに出入りすることができるように出入部１６０が形成され得る。
【００５３】
前記出入部１６０は、シート１００が形成する多面体のうち、一面に形成される構成であり、分離されるテントの内部空間Ｓと外部空間とを出入りすることができるようにする多様な構成であってもよい。
【００５４】
前記出入部１６０は、シート１００に形成される開放部であり、使用者が出入りできるほどの大きさを有する出入開放部１６１と、出入開放部１６１に虫などの進入を遮断するためのメッシュ網（未図示）と、出入開放部１６１を覆蓋する出入覆蓋部１６３と、出入覆蓋部１６３をシート１００と結合する脱着部１６４を含む。
【００５５】
前記脱着部１６４は、出入覆蓋部１６３とシート１００を脱着させることで、出入開放部１６１を開放及び覆蓋する構成であり、具体的に、ベルクロ（登録商標）、ジッパー形式などが用いられる。
【００５６】
前記シート１００は、図９に示されるように、後記する支持ポール骨組２００を介して支持される支持部１７０を含む。
【００５７】
前記支持部１７０は、シート１００の内面天井に形成され、支持ポール骨組２００を介して支持される構成であり、多様な構成が可能である。
【００５８】
例えば、前記支持部１７０は、予め設定されたテントの天井の端、２個のピークＰ１、Ｐ２に対応される位置、支持ポール骨組２００により支持されるように強化された材質で構成され、さらに、後記する支持ポール骨組２００の支持される部分に対応される大きさの溝が形成され、安定的に支持することができる。
【００５９】
この場合、前記支持部１７０は、テントの天井における２個のピークＰ１、Ｐ２に対応される位置に形成され、後記する支持ポール骨組２００は、Ｙ字状であり、シート１００を地面に垂直に支持するものではない、シート１００を斜めに支持するので、より安定した支持構造を形成することができる。
【００６０】
一方、前記支持部１７０の付近には、前述した通風口１１０を形成する際において、ピークＰ１、Ｐ２と通風口１１０の端から内部空間Ｓ側に延びる縁補強部１７１が形成され得る。
【００６１】
また、前記支持部１７０は、支持ポール骨組２００が直接接触する部分に支持の安定感を高めるために、支持パッド１７２が設けられ得る。
【００６２】
前記縁補強部１７１は、シート１００に通風口１１０を形成する際において、通風口１１０の端を補強するための構成であり、多様な材質及び構造を有してもよい。
【００６３】
前記縁補強部１７１は、支持パッド１７２と結合され、通風口１１０の端を補強する構成であってもよい。
【００６４】
一方、前記支持部１７０は、他の実施例であり、支持ポール骨組２００の支持部２２１、２３１に対応される支持部材（未図示）がそれぞれ設けられる。
【００６５】
前記支持部材（未図示）は、シート１００の天井の端の支持しようとする領域に結合設置され、支持ポール骨組２００の支持部２２１、２３１が嵌め込まれ、シート１００を安定的に支持する構成であってもよい。
【００６６】
前記支持部１７０は、内部でシート１００を支持できるように床に別途設けられ、構造物（未図示）と連結される支持ワイヤー（未図示）が結合され得る。
【００６７】
一方、前記シート１００は、使用者のテント空間活用を増大し、日光の遮断のために、日除け部１８０を含む。
【００６８】
前記日除け部１８０は、テントの外部に、シート１００と延びて設けられ、日光を遮断し、陰を形成する構成であり、多様な構成であってもよい。
【００６９】
例えば、前記日除け部１８０は、出入部１６０に重なって形成される日除けシート１８１と、日除け部１８０の設置のために、日除けシート１８１を支持する複数の日除けピン１８２を含む。
【００７０】
前記日除けシート１８１は、日除け部１８０が使用されていない時は、シート１００に重なって形成され、日除け部１８０の使用時、広げて複数の日除けピン１８２を介して支持することによって使用される。
【００７１】
前記支持ポール骨組２００は、内部空間Ｓで上側に向かって設けられるメインポール部材２１０と、メインポール部材２１０から分岐され、シート１００を支持することで、シート１００に対して、２個のピークＰ１、Ｐ２を形成する一組の分岐ポール部材２２０、２３０を含み、シート１００を支持することで、２個のピークＰ１、Ｐ２を有する内部空間Ｓを形成する構成であり、多様な構成が可能である。
【００７２】
前記メインポール部材２１０及び一組の分岐ポール部材２２０、２３０は、シート１００を支持し、２個のピークＰ１、Ｐ２を形成する部材であり、全体形状がＹ字状であることが好ましく、メインポール部材２１０及び一組の分岐ポール部材２２０、２３０の一体構造、分離構造などに応じて多様な構成が可能である。
【００７３】
前記メインポール部材２１０は、内部空間Ｓで上側に向かって設けられる部材であり、床から上側に長く延びたロッド形状など多様な形状を有する。
【００７４】
例えば、前記メインポール部材２１０は、金属材質、ＦＲＰ材質など多様な材質であってもよく、後記する結合構造などに応じて中空部材で形成されるなど多様な構造を有する。
【００７５】
そして、前記メインポール部材２１０は、内部空間Ｓで地面に垂直に設けられてもよく、好ましくは安定した支持のめたに、地面に一定の深さで埋めて設置され、内部空間Ｓの中央に設けられ得る。
【００７６】
一方、他の実施例として、前記メインポール部材２１０は、地面に接触して設けられてもよく、この場合、より安定した支持のために、接触部の面積が広く構成され得る。
【００７７】
また、前記メインポール部材２１０は、内部空間Ｓの活用空間を増大するために、予め設定された高さを有してもよく、好ましくは、一組の分岐ポール部材２２０、２３０の結合角度を考慮して、結合角度がシート１００を安定的に支持できる範囲内で長く形成され得る。
【００７８】
前記メインポール部材２１０は、携帯性の容易のために、軽いアルミニウム素材であってもよく、さらに、一つ以上の節が形成され、長さが調節可能である。
【００７９】
前記メインポール部材２１０は、長さが調節可能な構成であり、多様な構成であってもよい。
【００８０】
例えば、前記メインポール部材２１０は、一つ以上の節を有しており、節（未図示）に長くなった長さを固定できる溝と突出部が形成されてもよく、突出部に溝が嵌められ、固定されることによって、延びた長さを固定することができる。
【００８１】
これとは反対に、携帯のために突出部を加圧し、溝から離脱させることによって、重なるように移動させ、長さを短くすることができる。
【００８２】
前記一組の分岐ポール部材２２０、２３０は、メインポール部材２１０から分岐され、シート１００を支持することによって、シート１００に対して、２個のピークＰ１、Ｐ２を形成する構成であり、多様な構成が可能である。
【００８３】
例えば、前記一組の分岐ポール部材２２０、２３０は、メインポール部材２１０と一体又は結合構造によって分岐され、延びる部分であり、金属材質、ＦＲＰ材質など多様な材質を有してもよく、後記する結合構造などに応じて中空部材で形成されるなど多様な構造であってもよい。
【００８４】
前記一組の分岐ポール部材２２０、２３０は、前記メインポール部材２１０と同じアルミニウム材質で構成されてもよく、携帯の容易のために長さ調節が可能な構成であってもよい。
【００８５】
前記一組の分岐ポール部材２２０、２３０は、シート１００と接触する終端支持部２２１、２３１が前述した支持部１７０と接触し、シート１００を支持でき、このとき、支持部１７０の形態に対応して安定的に支持できる構成であってもよい。
【００８６】
例えば、前記一組の分岐ポール部材２２０、２３０は、シート１００と接触する支持部２２１、２３１が、支持部材が設けられる場合、嵌め込まれ得るように対応される直径を有する。
【００８７】
他の実施例として、前記一組の分岐ポール部材２２０、２３０は、テントが一組のピークＰ１、Ｐ２を有するようにすることができ、これにより、内部空間Ｓの活用空間が増大され、シート１００を地面に垂直な角度で支持できるように終端一部が折れ曲がった形態であってもよい。
【００８８】
一方、前記メインポール部材２１０及び一組の分岐ポール部材２２０、２３０の一体構造、分離構造などに応じて多様な構成が可能である。
【００８９】
具体的例として、前記メインポール部材２１０及び一組の分岐ポール部材２２０、２３０は一体で形成され得る。
【００９０】
他の例として、前記メインポール部材２１０は、図８のａ）に示されるように、床に支持される終端の反対側から分岐され、Ｙ字状の終端を有し、各終端は、各分岐ポール部材２２０、２３０が結合され得る。
【００９１】
また他の例として、前記一組の分岐ポール部材２２０、２３０は、一実施例として示された図８のｃ）のように、一体形成され、一体形成された一組の分岐ポール部材２２０、２３０が、メインポール部材２１０と結合され得る。
【００９２】
ここで、前記一組の分岐ポール部材２２０、２３０の一体構造は、全体形状が三角形構造など多様な構造を有することができる。
【００９３】
一方、前記メインポール部材２１０及び分岐ポール部材２２０、２３０は、互いに直接結合されるか、別途のコネクターによって間接的に結合され得る。
【００９４】
一例として、前記支持ポール骨組２００は、図８のｂ）に示されるように、メインポール部材２１０と一組の分岐ポール部材２２０、２３０が結合構造を有するように、メインポール部材２１０と一組の分岐ポール部材２２０、２３０がコネクター２４０により結合され得る。
【００９５】
前記コネクター２４０は、メインポール部材２１０と一組の分岐ポール部材２２０、２３０が結合構造を有するように、メインポール部材２１０と一組の分岐ポール部材２２０、２３０を連結する構成であり、多様な構成が可能である。
【００９６】
前記コネクター２４０は、一組の分岐ポール部材２２０、２３０間の角度を決める構成であり、一組の分岐ポール部材２２０、２３０がメインポール部材２１０の高さにより多様な角度を有するように、一組の分岐ポール部材２２０、２３０と結合される結合部２４１、２４２の角度が調節される構成であってもよい。
【００９７】
前記コネクター２４０は、図８のａ）に示されるように、メインポール部材２１０に一体形成され、一組の分岐ポール部材２２０、２３０と嵌め込まれて結合される結合部２４１、２４２を有する構成であってもよく、他の実施例として、図８のｃ）に示されるように、一組の分岐ポール部材２２０、２３０と一体形成され、メインポール部材２１０が嵌め込まれて結合される構成であってもよい。
【００９８】
さらに、前記コネクター２４０は、図８のｂ）に示されるように、独立した構成であり、３つの結合部を有し、それぞれメインポール部材２１０と一組の分岐ポール部材２２０、２３０が嵌め込まれて結合される構成であってもよい。
【００９９】
一方、前記コネクター２４０は、メインポール部材２１０及び一組の分岐ポール部材２２０、２３０と着脱可能なように結合される構成であり、多様な構成が可能である。
【０１００】
例えば、メインポール部材２１０及び一組の分岐ポール部材２２０、２３０とが安定的に結合するために、メインポール部材２１０及び一組の分岐ポール部材２２０、２３０の結合する終端に形成される突出部（未図示）とコネクター２４０に突出部に対応される大きさで形成される孔（未図示）が形成され、突出部が孔には嵌め込まれることで、安定的に結合される構成であってもよい。
【０１０１】
本考案に係るテントは、下端の平面形状が多角形状を有し、多角形の頂点に結合され、外部に設けられた固定構造物と結合されることによってテントの外形を形状する固定結合部３００を含む。
【０１０２】
前記固定結合部３００は、下端の平面形状が多角形状を有し、多角形の頂点に結合され、外部に設けられた固定構造物と結合されることによってテントの外形を形状する構成であり、多様な構成が可能である。
【０１０３】
例えば、前記固定結合部３００は、一端が多面体のテントの角のうち、テント下端でシート１００と結合され、他端が外部に設けられた固定構造物と結合されることで、テントの位置を固定する固定結合紐３１０と、固定構造物と結合されるように固定結合紐３１０の終端に結合される結合具３２０を含む。
【０１０４】
前記固定結合紐３１０は、テントと固定構造物を連結する構成であり、多様な構成が可能である。
【０１０５】
前記結合具３２０は、固定結合紐３１０と固定構造物と間の結合を容易にするための構成であり、多様な構成が可能である。例えば、固定結合紐３１０が結合された結合具３２０を固定結合紐３１０に張力が作用するように引っ張ることで、多面体のテントの角が形成されるようにすることができる。
【０１０６】
さらに、前記結合具３２０は、固定構造物の例として、ピン部材と共に地面に固定されてもよく、結合具３２０にピン部材を通過させた後、ピン部材を地面に一定の深さで埋めて設置することによって、固定結合紐３１０に張力が作用するようにテントの位置を固定することができる。
【０１０７】
一方、他の実施例として、本考案に係るテントは、ピークＰ１、Ｐ２及び固定結合部３００の間で一端がシート１００と結合され、他端が固定結合部３００と結合され、シート１００、固定結合部３００と共に三角形をなす複数の連結部４００を含む。
【０１０８】
即ち、テントの端が一定の高さの連結部４００が結合された部分から分離され、シート１００が下側に直下する直下構造で形成され得る。
【０１０９】
前記連結部４００は、シート１００の下端から予め設定された一定の高さで一端がシート１００と結合され、他端が固定結合部３００と結合され、シート１００、固定結合部３００と共に三角形をなす構成であり、多様な構成が可能である。
【０１１０】
例えば、前記連結部４００は、シート１００の下端から直下構造が形成されるための予め設定された高さで一端がシート１００と結合され設けられてもよく、他端が固定結合部３００のうち結合具３２０に張力が作用するように結合され、前記連結部４００が結合される位置からシート１００下端まで直下構造をなすようにしてもよい。
【０１１１】
この場合、連結部４００と、固定結合部３００と、シート１００は三角形をなすことができる。
【０１１２】
本考案に係るテントは、連結部４００がシート１００に連結された部分及び固定結合部３００が結合された部分の間に地面と垂直をなすフレーム部材４１０がさらに設けられ得る。
【０１１３】
前記フレーム部材４１０は、直下構造をなすシート１００の一部分に地面と垂直に設けられ、テントの端が一定の高さまで直下構造をなすようにする構成であり、多様な構成が可能である。
【０１１４】
前記フレーム部材４１０は、連結部４００がシート１００に連結された部分及び固定結合部３００が結合された部分の間で地面と垂直をなすように設けられてもよく、より具体的にフレーム部材４１０が設けられた状態で、フレーム部材４１０の下端に固定結合紐３１０が連結され結合されてもよく、さらに、フレーム部材４１０の上端に連結部４００が設けられてもよい。
【０１１５】
この場合、連結部４００と固定結合紐３１０は、それぞれフレーム部材４１０の上端と下端に結合して設けられ、結合具３２０に共に結合されることによって、張力を保持することができる。
【０１１６】
一方、前記シート１００は、端が直下構造を有するテントに対して、連結部４００が設けられる位置のシート１００からさらに延びて形成される蓋部１５０を含むことができる。
前記蓋部１５０は、終端に張力を有するストリング３３０が設けられることで、蓋部１５０がシート１００から延びて設けられ得る。
【０１１７】
前記ストリング３３０は、一端が蓋部１５０の終端に結合され、他端が結合具３２０に結合されることで、張力を有して弾性を保持することができ、これにより、蓋部１５０を含むテントの全体形状を保持することができる。
【０１１８】
以上は、本考案によって具現され得る好ましい実施例の一部について説明したものに過ぎず、周知のように本考案の範囲は、前記実施例に限定されて解釈されるべきではなく、前述された本考案の技術的思想とその根本を共にする技術的思想は全部本考案の範囲に含まれる。
【符号の説明】
【０１１９】
１００  シート
２００  支持ポール骨組
３００  固定結合部
４００  連結部
【図１】
0003217504.tif 000003
【図２】
0003217504.tif 000004
【図３】
0003217504.tif 000005
【図４】
0003217504.tif 000006
【図５】
0003217504.tif 000007
【図６】
0003217504.tif 000008
【図７】
0003217504.tif 000009
【図８】
0003217504.tif 000010
【図９】
0003217504.tif 000011
【図１０】
0003217504.tif 000012